(57)【要約】【課題】空気調和機の運転時でも、前面パネル開閉機構のアームが目立たないようにするとともに、メンテナンス時の不都合を軽減する。【解決手段】前面上部に吸込口１２を設け、前面下部に吹出口１３を設け、吸込口１２と吹出口１３を結ぶ通風路内に熱交換器１４と送風ファン１５を設けたユニット本体１０と、吸込口１２をモータで駆動されるアーム４１によって開閉するようユニット本体１０に取り付けた前面パネル２０とを備える。アーム４１は、透明材でなり、少なくとも上端にシボ加工処理が施されている。【選択図】図４
2011202895.tif 000002
【特許請求の範囲】
【請求項１】
前面上部に吸込口を設け、前面下部に吹出口を設け、前記吸込口と前記吹出口を結ぶ通風路内に熱交換器と送風ファンを設けたユニット本体と、前記吸込口をモータで駆動されるアームによって開閉するよう前記ユニット本体に取り付けた前面パネルとを備えた空気調和機において、
前記アームは、透明材でなり、少なくとも上端にシボ加工処理が施されたことを特徴とする空気調和機。
【請求項２】
請求項１に記載の空気調和機において、
前記アームは、前記前面パネル開放時に前記ユニット本体と前記前面パネル内に位置する部分に、補強処理が施されていることを特徴とする空気調和機。
【請求項３】
請求項１又は２に記載の空気調和機において、
前記アームは、ガイド部により前進後退がガイドされ、前端が前記前面パネルに対して遊びをもって枢支され、後端部分に前記モータで駆動されるギヤ機構のギヤに噛合するラックが形成されていることを特徴とする空気調和機。
【発明の詳細な説明】
【技術分野】
【０００１】
本発明は、ユニット本体の前面パネルを開閉するアームの部分について改良した空気調和機に関する。
【背景技術】
【０００２】
昨今、空気調和機は、設置する室内のインテリアに調和するデザインが好まれている。そのため、本体色は、室内の壁紙に使われている白色やベージュ色などの明度の高い色が採用され、形態においては、何処にでも取り付けられるようにコンパクトなサイズであり、さらに、吸込桟や吹出口による凹凸や孔によって存在が目立つことでインテリアに違和感を与えることがないように、前面がフラットパネルとなり、吹出口は風向板で塞がれる形態のものが多くなってきている。
【０００３】
この空気調和機は、上面と前面に吸込口を備え、前面下部に吹出口を備え、内部に熱交換器と送風ファンを収納したユニット本体と、そのユニット本体の前面に装着され、前面の吸込口を開閉する前面パネルと、吹出口に取り付けられ、同吹出口を開閉する風向板とで外郭が構成されている。運転時は、風向板が開くと共に前面パネルが前面パネル開閉機構により前方へ回動し、これにより開口された前面の吸込口から空気を吸い込む。また、運転停止時は、前面パネルと風向板が閉じることで、凹凸の無いフラットな形状で、インテリアに調和するデザインが得られる（例えば、類似のものとして特許文献１参照）。
【０００４】
上記の前面パネル開閉機構は、アームの前端を前面パネルの裏面部分に遊びを持って枢支し、アームの他端をギヤ機構で駆動することで、そのアームを前後方向に進出後退させる機構であり、アームが前進することで前面パネルが前方に回動して吸込口を開放し、アームが後退することで前面パネルが後方に回動して吸込口を閉じるものである。
【０００５】
従って、この前面パネル開閉機構は、空気調和機の運転停止時は、前面パネルが吸込口を閉じるときに、空気調和機の内部に収納され、側面から見えることはなく、デザインに影響を与えることはない。
【先行技術文献】
【特許文献】
【０００６】
【特許文献１】特願２００８−２６１５３３号公報
【発明の概要】
【発明が解決しようとする課題】
【０００７】
ところが、この前面パネル開閉機構は、空気調和機の運転時は、吹出口を開放させるように前面パネルが開いたときに、アームの部分が空気調和機の側面に露出し、空気調和機の外観を著しく損なうという問題があった。そこで、アームの存在感を軽減するために、透明材のアームを使用する方法がある。しかし、透明材のアームでは、前面パネルをメンテナンスや清掃のため取り外す作業時に、どこにアームがあるかを視認しずらくなり、作業性に不都合を生じていた。
【０００８】
本発明の目的は、空気調和機の運転時でもアームが目立たないようにして空気調和機の外観を良好にするとともに、メンテナンス時の不都合を防止した空気調和機を提供することである。
【課題を解決するための手段】
【０００９】
上記目的を達成するために、請求項１にかかる発明は、前面上部に吸込口を設け、前面下部に吹出口を設け、前記吸込口と前記吹出口を結ぶ通風路内に熱交換器と送風ファンを設けたユニット本体と、前記吸込口をモータで駆動されるアームによって開閉するよう前記ユニット本体に取り付けた前面パネルとを備えた空気調和機において、前記アームは、透明材でなり、少なくとも上端にシボ加工処理が施されたことを特徴とする。
請求項２にかかる発明は、請求項１に記載の空気調和機において、前記アームは、前記前面パネル開放時に前記ユニット本体と前記前面パネル内に位置する部分に、補強処理が施されていることを特徴とする。
請求項３にかかる発明は、請求項１又は２に記載の空気調和機において、前記アームは、ガイド部により前進後退がガイドされ、前端が前記前面パネルに対して遊びをもって枢支され、後端部分に前記モータで駆動されるギヤ機構のギヤに噛合するラックが形成されていることを特徴とする。
【発明の効果】
【００１０】
本発明によれば、透明材のアームが使われているため、前面パネルが開いてそのアームが側面に露出する場合であっても、目立つことはなく、空気調和機の外観を損なうことはない。また、アームは、その少なくとも上端にシボ加工処理を施したので、前面パネルを取り外す作業等では、そのアームを確実に視認することができ、メンテナンス時の不都合を軽減することができる。
【図面の簡単な説明】
【００１１】
【図１】本発明の第１の実施例の空気調和機の運転時の斜視図である。
【図２】本発明の第１の実施例の空気調和機の運転時の断面図である。
【図３】本発明の第１の実施例の空気調和機の運転停止時の断面図である。
【図４】本発明の第１の実施例の空気調和機の前面パネル開閉機構のアームの説明図であり、（ａ）は上面図、（ｂ）は正面図、（ｃ）はＡ−Ａ断面図、（ｄ）は斜視図である。
【図５】本発明の第１の実施例の空気調和機の前面パネル開閉機構の別の例のアームの説明図であり、（ａ）は上面図、（ｂ）は正面図、（ｃ）はＢ−Ｂ断面図である。
【図６】本発明の第１の実施例の空気調和機の前面パネル開閉機構のさらなる別の例のアームの説明図であり、（ａ）は上面図、（ｂ）は正面図、（ｃ）はＣ−Ｃ断面図である。
【図７】本発明の第２の実施例の空気調和機の運転時の斜視図である。
【図８】本発明の第２の実施例の空気調和機の運転時の断面図である。
【図９】本発明の第２の実施例の空気調和機の運転停止時の断面図である。
【発明を実施するための形態】
【００１２】
＜第１の実施例＞
図１〜図６に本発明の第１の実施例の空気調和機Ａを示す。空気調和機Ａは、図１〜図３に示すように、上面に上面吸込口１１が、前面上部に前面吸込口１２が、また前面下部には吹出口１３が設けられた箱形のユニット本体１０と、このユニット本体１０の前面吸込口１２の前面に装着され下端を支点に上端が前方に回動する前面パネル２０と、吹出口１３に取り付けられた風向板３０とで外郭を構成している。また、ユニット本体１０内には、熱交換器１４と送風ファン１５が設けられ、送風ファン１５により上面吸込口１１と前面吸込口１２から吸い込まれた吸込空気が、熱交換器１４で冷媒と熱交換され冷気あるいは暖気となり、風向板３０で風向が調整され、吹出口１３から室内に吹き出すようにしている。
【００１３】
前面吸込口１２を正面からみて上部の左端と右端には、それぞれ前面パネル開閉機構４０が設けられている。この前面パネル開閉機構４０は、アーム４１とそのアーム４１をモータ４２ｂで駆動して前進後退させるギヤ機構４２から構成され、アーム４１の先端は前面パネル２０の裏面の軸（図示せず）に遊びをもって枢支され、後端部がギヤ機構４２のピニオン４２ａに噛合している。また、アーム４１の前進後退をガイドするガイド１６がユニット本体１０に設けられている。したがって、モータ４２ｂによってギヤ機構４２がある方向に回転すれば、アーム４１が前進して前面パネル２０を、下端を支点に上側を前方に押し開き、ギヤ機構４２が逆方向に回転すれば、アーム４１が後退して前面パネル２０を、下端を支点に上側を後方に引き込み閉じる。図１と図２に前面パネル２０を開いた状態を示し、図３に閉じた状態を示した。
【００１４】
前記したアーム４１は、図４に示すように、透明樹脂、例えば、透明色があり、かつ強度に優れたＡＢＳ等で成型され、一方に前面パネル２０の裏面の軸（図示せず）に遊びをもって枢支される軸支穴４１ａが形成され、後端部の上端面にはギヤ機構４２のピニオン４２ａが噛合するラック４１ｂが形成されている。
【００１５】
このように、アーム４１は透明樹脂材であるので、空気調和機Ａの運転時に前面パネル２０が開かれることにより、そのアーム４１が側面から露出していても、外観上目立ちにくく、空気調和機Ａの外観上のデザインを損なうことはない。
【００１６】
また、アーム４１を透明樹脂材にしたことで、メンテナンス時に部品として見えにくくなるために不都合が生じるので、図４（ｄ）に示すように、表裏面を除いた端面４１ｅにエッチングによるシボ加工を施したり、シボ塗装を施している。このシボ加工やシボ塗装は、必ずしも全周囲に施す必要なく、少なくとも上端面に施せばよい。これにより、ユーザが側方からみたときは、透明であるために部品としての存在感がなく美観を損なわないが、前面パネル２０を取り外す作業等のメンテナンス時には、そのアームを確実に視認できる。
【００１７】
なお、このアーム４１は、図５に示すように、内側の全周に補強リブ４１ｃを形成したり、あるいは図６に示すように、前面パネル２０の開放時にユニット本体１０と前面パネル２０内に位置する部分に、補強処理を施してもよい。例えば、軸支穴４１ａの周囲やラック４１ｂの内側に、樹脂や金属等の別の補強材４１ｄを一体化してもよい。このようにすれば、強度を増すことができる。
＜第２の実施例＞
【００１８】
図７〜図９に本発明の第２の実施例の空気調和機Ｂを示す。図１〜図３における要素と同じものには同じ符号を付した。本実施例では、前面パネル２０の正面からみて左側と右側の端部に、その前面パネル２０の前面から一体的に連続するように、上下方向に長く、上部が扇形状に広がったアーム４３を設け、このアーム４３とギヤ機構４２とで前面パネル開閉機構４０Ａを構成している。前面パネル２０は通常透明樹脂製であるので、本実施例では、前面パネル２０は透明樹脂材で成型され、前面側の背面にのみ高級感のあるパールやメタリック塗装を施してあり、アーム４３は前面パネル２０と一体成型することができ、そのアーム４３を独立して成型する必要はない。
【００１９】
このアーム４３も、透明樹脂材で成形され、上端面にはギヤ機構４２のピニオン４２ａが噛合するラック４３ｂが形成されている。
【００２０】
このように、本実施例のアーム４３も透明樹脂材であるので、空気調和機の運転時に前面パネル２０が開かれることにより、そのアーム４３が側面から露出していても、外観上目立ちにくく、空気調和機の外観のデザインを損なうことはない。また、表裏面を除いた端面にシボ加工を施したりシボ塗装を施すことで、メンテナンス時の不都合を軽減できる。この場合も、シボ加工やシボ塗装は、必ずしも全周囲には必要なく、少なくとも上端面に施せばよい。
【００２１】
なお、このアーム４３についても、第１の実施例のアーム４１と同様に、内側の周囲に補強リブを形成したり、前面パネル２０の開放時にユニット本体１０と前面パネル２０内に位置する部分に、補強処理を施せば、強度を増すことができる。
【符号の説明】
【００２２】
１０：ユニット本体、１１：上面吸込口、１２：前面吸込口、１３：吹出口、１４：熱交換器、１５：送風ファン、１６：ガイド部
２０：前面パネル
３０：風向板
４０，４０Ａ：前面パネル開閉機構、４１：アーム、４１ａ：軸支穴、４１ｂ：ラック、４１ｃ：リブ、４１ｄ：補強材、４２：ギヤ機構、４２ａ：ピニオン、４２ｂ：モータ、４３：アーム、４３ｂ：ラック
【図１】
2011202895.tif 000003
【図２】
2011202895.tif 000004
【図３】
2011202895.tif 000005
【図４】
2011202895.tif 000006
【図５】
2011202895.tif 000007
【図６】
2011202895.tif 000008
【図７】
2011202895.tif 000009
【図８】
2011202895.tif 000010
【図９】
2011202895.tif 000011